(57)【特許請求の範囲】
【請求項１】
ニューレディオ時分割複信（ＮＲ  ＴＤＤ）を使用するネットワークノード（１２）であって、
ＮＲ  ＴＤＤスロットの少なくとも２つのシンボルに渡る少なくとも２つの制御メッセージのポジショニングを構成する様に構成された処理回路（２０）を備え、
前記少なくとも２つのシンボルは、時間領域において異なるシンボルであり、
前記少なくとも２つの制御メッセージは、
前記ＮＲ  ＴＤＤスロットの前記少なくとも２つのシンボルの内の第１シンボルに配置される様に構成されるダウンリンクハイブリッド自動再送要求（ＨＡＲＱ）と、
前記ＮＲ  ＴＤＤスロットの前記少なくとも２つのシンボルの内の第２シンボルに配置される様に構成されるスケジューリング要求と、を含み、
前記第１シンボルは、前記時間領域において、前記第２シンボルより前に配置される、ネットワークノード。
【請求項２】
請求項１に記載のネットワークノード（１２）であって、
各制御メッセージは、前記ＮＲ  ＴＤＤスロットの前記少なくとも２つのシンボルの各シンボルに対応する、ネットワークノード。
【請求項３】
請求項１又は２に記載のネットワークノード（１２）であって、
第２制御メッセージは、アップリンクに使用される前記シンボルの最後のシンボル、及び／又は、前記ＮＲ  ＴＤＤスロットの最後のシンボルに対応する、ネットワークノード。
【請求項４】
請求項１から３のいずれか１項に記載のネットワークノード（１２）であって、
前記少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである、ネットワークノード。
【請求項５】
請求項１から４のいずれか１項に記載のネットワークノード（１２）であって、
前記少なくとも２つの制御メッセージは、
前記ＮＲ  ＴＤＤスロットの前記少なくとも２つのシンボルの内の第１シンボルに配置される様に構成されるダウンリンク割り当てと、
前記ＮＲ  ＴＤＤスロットの前記少なくとも２つのシンボルの内の第２シンボルに配置される様に構成されるアップリンク割り当て又はアップリンクハイブリッド自動再送要求（ＨＡＲＱ）と、を含み、
前記第１シンボルは、前記時間領域において、前記第２シンボルの前に配置される、ネットワークノード。
【請求項６】
請求項１から５のいずれか１項に記載のネットワークノード（１２）であって、
第１制御メッセージは、ダウンリンクに使用される前記シンボルの最初のシンボル、及び／又は、前記ＮＲ  ＴＤＤスロットの開始シンボルに対応する、ネットワークノード。
【請求項７】
請求項１から６のいずれか１項に記載のネットワークノード（１２）であって、
前記時間領域における前記少なくとも２つのシンボルの前記ポジショニングは、前記ＮＲ  ＴＤＤスロットのダウンリンクシンボル数、前記ＮＲ  ＴＤＤスロットのガードシンボル数、及び、前記ＮＲ  ＴＤＤスロットのアップリンクシンボル数の少なくとも１つに基づく、ネットワークノード。
【請求項８】
請求項１から７のいずれか１項に記載のネットワークノード（１２）であって、
前記少なくとも２つのシンボルは、前記ＮＲ  ＴＤＤスロットの連続するシンボルである、ネットワークノード。
【請求項９】
ニューレディオ時分割複信（ＮＲ  ＴＤＤ）を使用するネットワークノード（１２）での方法であって、
ＮＲ  ＴＤＤスロットの少なくとも２つのシンボルに渡る少なくとも２つの制御メッセージのポジショニングを構成することを含み、
前記少なくとも２つのシンボルは、時間領域において異なるシンボルであり（Ｓ１００）、
前記少なくとも２つの制御メッセージは、
前記ＮＲ  ＴＤＤスロットの前記少なくとも２つのシンボルの内の第１シンボルに配置される様に構成されるダウンリンクハイブリッド自動再送要求（ＨＡＲＱ）と、
前記ＮＲ  ＴＤＤスロットの前記少なくとも２つのシンボルの内の第２シンボルに配置される様に構成されるスケジューリング要求と、を含み、
前記第１シンボルは、前記時間領域において、前記第２シンボルより前に配置される、方法。
【請求項１０】
請求項９に記載の方法であって、
第２制御メッセージは、アップリンクに使用される前記シンボルの最後のシンボル、及び／又は、前記ＮＲ  ＴＤＤスロットの最後のシンボルに対応する、方法。
【請求項１１】
請求項９又は１０に記載の方法であって、
前記少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである、方法。
【請求項１２】
請求項９から１１のいずれか１項に記載の方法であって、
前記少なくとも２つの制御メッセージは、
前記ＮＲ  ＴＤＤスロットの前記少なくとも２つのシンボルの内の第１シンボルに配置される様に構成されるダウンリンク割り当てと、
前記ＮＲ  ＴＤＤスロットの前記少なくとも２つのシンボルの内の第２シンボルに配置される様に構成されるアップリンク割り当て又はアップリンクハイブリッド自動再送要求（ＨＡＲＱ）と、を含み、前記第１シンボルは、前記時間領域において、前記第２シンボルの前に配置される、方法。
【請求項１３】
請求項９から１２のいずれか１項に記載の方法であって、
第１制御メッセージは、ダウンリンクに使用される前記シンボルの最初のシンボル、及び／又は、前記ＮＲ  ＴＤＤスロットの開始シンボルに対応する、方法。
【請求項１４】
請求項９から１３のいずれか１項に記載の方法であって、
前記時間領域における前記少なくとも２つのシンボルの前記ポジショニングは、前記ＮＲ  ＴＤＤスロットのダウンリンクシンボル数、前記ＮＲ  ＴＤＤスロットのガードシンボル数、及び、前記ＮＲ  ＴＤＤスロットのアップリンクシンボル数の少なくとも１つに基づく、方法。
【請求項１５】
請求項９から１４のいずれか１項に記載の方法であって、
前記少なくとも２つのシンボルは、前記ＮＲ  ＴＤＤスロットの連続するシンボルである、方法。
【請求項１６】
ニューレディオ時分割複信（ＮＲ  ＴＤＤ）を使用する無線デバイス（１４）であって、
ＮＲ  ＴＤＤスロットの少なくとも２つのシンボルに渡る少なくとも２つの制御メッセージの構成されたポジショニングに従い動作する様に構成された処理回路（３２）を備え、
前記少なくとも２つのシンボルは、時間領域において異なるシンボルであり、
前記少なくとも２つの制御メッセージは、
前記ＮＲ  ＴＤＤスロットの前記少なくとも２つのシンボルの内の第１シンボルに配置される様に構成されるダウンリンクハイブリッド自動再送要求（ＨＡＲＱ）と、
前記ＮＲ  ＴＤＤスロットの前記少なくとも２つのシンボルの内の第２シンボルに配置される様に構成されるスケジューリング要求と、を含み、
前記第１シンボルは、前記時間領域において、前記第２シンボルより前に配置される、無線デバイス。
【請求項１７】
請求項１６に記載の無線デバイス（１４）であって、
各制御メッセージは、前記ＮＲ  ＴＤＤスロットの前記少なくとも２つのシンボルの各シンボルに対応する、無線デバイス。
【請求項１８】
請求項１６又は１７に記載の無線デバイス（１４）であって、
前記少なくとも２つの制御メッセージの内の第１制御メッセージは、ショート物理アップリンク制御チャネル（ｓＰＵＣＣＨ）にあり、前記少なくとも２つの制御メッセージの内の第２制御メッセージは、前記ＮＲ  ＴＤＤスロット内の別のｓＰＵＣＣＨにある、無線デバイス。
【請求項１９】
請求項１６から１８のいずれか１項に記載の無線デバイス（１４）であって、
第２制御メッセージは、アップリンクに使用される前記シンボルの最後のシンボル、及び／又は、前記ＮＲ  ＴＤＤスロットの最後のシンボルに対応する、無線デバイス。
【請求項２０】
請求項１６から１９のいずれか１項に記載の無線デバイス（１４）であって、
前記少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである、無線デバイス。
【請求項２１】
請求項１６から２０のいずれか１項に記載の無線デバイス（１４）であって、
前記少なくとも２つの制御メッセージは、
前記ＮＲ  ＴＤＤスロットの前記少なくとも２つのシンボルの内の第１シンボルに配置される様に構成されるダウンリンク割り当てと、
前記ＮＲ  ＴＤＤスロットの前記少なくとも２つのシンボルの内の第２シンボルに配置される様に構成されるアップリンク割り当て又はアップリンクハイブリッド自動再送要求（ＨＡＲＱ）と、を含み、
前記第１シンボルは、前記時間領域において、前記第２シンボルの前に配置される、無線デバイス。
【請求項２２】
請求項１６から２１のいずれか１項に記載の無線デバイス（１４）であって、
第１制御メッセージは、ダウンリンクに使用される前記シンボルの最初のシンボル、及び／又は、前記ＮＲ  ＴＤＤスロットの開始シンボルに対応する、無線デバイス。
【請求項２３】
請求項１６から２２のいずれか１項に記載の無線デバイス（１４）であって、
前記時間領域における前記少なくとも２つのシンボルの前記ポジショニングは、前記ＮＲ  ＴＤＤスロットのダウンリンクシンボル数、前記ＮＲ  ＴＤＤスロットのガードシンボル数、及び、前記ＮＲ  ＴＤＤスロットのアップリンクシンボル数の少なくとも１つに基づく、無線デバイス。
【請求項２４】
請求項１６から２３のいずれか１項に記載の無線デバイス（１４）であって、
前記少なくとも２つのシンボルは、前記ＮＲ  ＴＤＤスロットの連続するシンボルである、無線デバイス。
【請求項２５】
ニューレディオ時分割複信（ＮＲ  ＴＤＤ）を使用する無線デバイス（１４）での方法であって、
ＮＲ  ＴＤＤスロットの少なくとも２つのシンボルに渡る少なくとも２つの制御メッセージの構成されたポジショニングに従い動作することを含み、
前記少なくとも２つのシンボルは、時間領域において異なるシンボルであり（Ｓ１０２）、
前記少なくとも２つの制御メッセージは、
前記ＮＲ  ＴＤＤスロットの前記少なくとも２つのシンボルの内の第１シンボルに配置される様に構成されるダウンリンクハイブリッド自動再送要求（ＨＡＲＱ）と、
前記ＮＲ  ＴＤＤスロットの前記少なくとも２つのシンボルの内の第２シンボルに配置される様に構成されるスケジューリング要求と、を含み、
前記第１シンボルは、前記時間領域において、前記第２シンボルより前に配置される、方法。
【請求項２６】
請求項２５に記載の方法であって、
各制御メッセージは、前記ＮＲ  ＴＤＤスロットの前記少なくとも２つのシンボルの各シンボルに対応する、方法。
【請求項２７】
請求項２５又は２６に記載の方法であって、
第２制御メッセージは、アップリンクに使用される前記シンボルの最後のシンボル、及び／又は、前記ＮＲ  ＴＤＤスロットの最後のシンボルに対応する、方法。
【請求項２８】
請求項２５から２７のいずれか１項に記載の方法であって、
前記少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである、方法。
【請求項２９】
請求項２５から２８のいずれか１項に記載の方法であって、
前記少なくとも２つの制御メッセージは、
前記ＮＲ  ＴＤＤスロットの前記少なくとも２つのシンボルの内の第１シンボルに配置される様に構成されるダウンリンク割り当てと、
前記ＮＲ  ＴＤＤスロットの前記少なくとも２つのシンボルの内の第２シンボルに配置される様に構成されるアップリンク割り当て又はアップリンクハイブリッド自動再送要求（ＨＡＲＱ）と、を含み、
前記第１シンボルは、前記時間領域において、前記第２シンボルの前に配置される、方法。
【請求項３０】
請求項２５から２９のいずれか１項に記載の方法であって、
第１制御メッセージは、ダウンリンクに使用される前記シンボルの最初のシンボル、及び／又は、前記ＮＲ  ＴＤＤスロットの開始シンボルに対応する、方法。
【請求項３１】
請求項２５から３０のいずれか１項に記載の方法であって、
前記時間領域における前記少なくとも２つのシンボルの前記ポジショニングは、前記ＮＲ  ＴＤＤスロットのダウンリンクシンボル数、前記ＮＲ  ＴＤＤスロットのガードシンボル数、及び、前記ＮＲ  ＴＤＤスロットのアップリンクシンボル数の少なくとも１つに基づく、方法。
【請求項３２】
請求項２５から３１のいずれか１項に記載の方法であって、
前記少なくとも２つのシンボルは、前記ＮＲ  ＴＤＤスロットの連続するシンボルである、方法。
【発明の詳細な説明】
【技術分野】
【０００１】
本開示は、無線通信に関し、特に、ニューレディオ時分割複信（ＮＲ−ＴＤＤ）を使用して超高信頼低遅延通信（ＵＲＬＬＣ）を最適化するための制御メッセージのリソースの構成に関する。
【背景技術】
【０００２】
現在議論されているのは、既存の移動通信システムを拡張して広範囲のマシン間通信を提供する方法である。この議論のサブグループは、非常に低い遅延、非常に高い信頼性、及び、非常に高い可用性の通信要求が満たされなければならない、クリティカルマシン型通信（Ｃ−ＭＴＣ）に関する。例としては、
−アクチュエータ、センサ及び制御システムが互いに通信するファクトリオートメーション、典型的な要求は１ｍｓの遅延。
−建設ロボット内のモーション制御、１ｍｓの遅延。
−マシンのリモート制御、５〜１００ｍｓの遅延
−スマートエネルギグリッド、３〜５ｍｓ
−その他
【０００３】
そのような要求を満たすための候補通信システムは、例えば、第３世代パートナーシッププロジェクト（３ＧＰＰ）によるＬＴＥ及びＮＲ（ニューレディオ）と呼ばれる新たに開発された無線アクセスである。ＮＲにおいて、スケジューリング単位は、スロット又はミニスロットとして定義される。ＮＲスロットは、幾つかの直交周波数分割多重（ＯＦＤＭ）シンボルからなり、１つの可能な結果は、それが７つのＯＦＤＭシンボルからなることであるが、１４のＯＦＤＭシンボルの様な他の構造も同様に使用することができる。また、ＮＲスロットは、アップリンク（ＵＬ）とダウンリンク（ＤＬ）の両方での送信をそれぞれ含んでも含まなくても良いことも議論されている。したがって、スロットの３つの構成、すなわち、（１）ＤＬのみのスロット、（２）ＵＬのみのスロット、（３）ＤＬ及びＵＬを含むスロットが検討されている。
【０００４】
図１は、７つのＯＦＤＭシンボルの異なる場合を示している。１４個のＯＦＤＭシンボルの場合は、例えば７個のＯＦＤＭシンボルの場合を２倍にすることによって同様になる。特に、ケース（１）は、ダウンリンクのみのＯＦＤＭシンボルからなるスロットに関するものであり、ケース（２）は、アップリンクのみのＯＦＤＭシンボルからなるスロットに関するものであり、ケース（３）は、ダウンリンクシンボルとそれに続くガード時間及びアップリンクシンボルからなるスロットに関するものである。
【０００５】
さらに、ＮＲシステムにおいては、ＯＦＤＭシンボルの期間を決定する異なるＯＦＤＭヌメロロジー（Ｎｕｍｅｒｏｌｏｇｙ）が使用されるであろう。表１は、異なるＯＦＤＭシンボル期間、サイクリックプレフィクス期間、及び、サイクリックプレフィクスを含むシンボル長を有する異なるＯＦＤＭヌメロロジーのリストである。表１に示す以外のヌメロロジーも同様に使用され得る。
【０００６】
【表１】
0006811869.tif 000002
【発明の概要】
【発明が解決しようとする課題】
【０００７】
遅延が重要なアプリケーション（例えば、上述したＣ−ＭＴＣのユースケース）の要求を満たすために、ミニスロットもＮＲで定義されている。ミニスロットの開始位置と長さは可変である。ミニスロットの可能な最小長は、１つのＯＦＤＭシンボルである。ただし、ミニスロットとスロットの位置合わせは、より良いインターワーキング及び共存に関係する。
【０００８】
依然として議論中であるが、ＮＲ−ＴＤＤの動作は、高周波数帯域における将来のシステムにとって最も可能性の高い動作モードである。以下は、ＮＲ−ＴＤＤ動作についての既存の仮定である。
−ＵＬ−ＤＬ切り替え時間：〜３μｓ
−伝搬時間：〜０．３３μｓ／１００ｍ
＋チャネル時間分散（〜ＣＰ）
＋フロントホール遅延
−タイミングアドバンス：２×伝搬遅延
＋ｇＮＢのＵＬ＋ＤＬ切り替え時間
−スロット（ＵＬ＋ＤＬ）当たりの最大伝送時間：スロット期間
タイミングアドバンス
ＵＥのＵＬ−ＤＬ切り替え時間
【課題を解決するための手段】
【０００９】
いくつかの実施形態は、ニューレディオ時分割複信（ＮＲ−ＴＤＤ）を使用して超高信頼低遅延通信（ＵＲＬＬＣ）を最適化するための制御メッセージのリソースを構成する方法、システム及びネットワークノードを有利に提供する。
【００１０】
本開示の一態様によると、ニューレディオ時分割複信（ＮＲ  ＴＤＤ）を使用するネットワークノードが提供される。ネットワークノードは、ＮＲ  ＴＤＤスロットの少なくとも２つのシンボルに渡る少なくとも２つの制御メッセージのポジショニングを構成する様に構成された処理回路を含む。少なくとも２つのシンボルは、時間領域において異なるシンボルである。
【００１１】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルの内の第１シンボル上に位置する様に構成されたダウンリンクハイブリッド自動再送要求（ＨＡＲＱ）と、ＮＲ  ＴＤＤスロットの少なくとも２つのシンボルの内の第２シンボル上に位置する様に構成されたスケジューリング要求と、を含む。第１シンボルは、時間領域において、第２シンボルの前に配置される。
【００１２】
この態様の一実施形態によると、少なくとも２つの制御メッセージの内の第１制御メッセージは、ショート物理アップリンク制御チャネル（ｓＰＵＣＣＨ）にあり、少なくとも２つの制御メッセージの内の第２制御メッセージは、ＮＲ  ＴＤＤスロット内の別のｓＰＵＣＣＨにある。この態様の一実施形態によると、第２制御メッセージは、アップリンクに使用されるシンボルの最後のシンボルに対応、及び／又は、ＮＲ  ＴＤＤスロットの最後のシンボルに対応する。
【００１３】
この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によると、少なくとも２つの制御メッセージは、ＮＲ  ＴＤＤスロットの少なくとも２つのシンボルの内の第１シンボル上に配置される様に構成されたダウンリンク割り当てと、ＮＲ  ＴＤＤスロットの少なくとも２つのシンボルの内の第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００１４】
この態様の一実施形態によると、少なくとも２つの制御メッセージの内の第１制御メッセージは、ショート物理ダウンリンク制御チャネル（ｓＰＤＣＣＨ）にあり、少なくとも２つの制御メッセージの内の第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域内の少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００１５】
本開示の他の態様によると、ニューレディオ時分割複信（ＮＲ  ＴＤＤ）を使用するネットワークノードのための方法が提供される。ＮＲ  ＴＤＤスロットの少なくとも２つのシンボルに渡る少なくとも２つの制御メッセージのポジショニングが構成される。少なくとも２つのシンボルは、時間領域において異なるシンボルである。
【００１６】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルの内の第１シンボル上に位置する様に構成されたダウンリンクハイブリッド自動再送要求（ＨＡＲＱ）と、ＮＲ  ＴＤＤスロットの少なくとも２つのシンボルの内の第２シンボル上に位置する様に構成されたスケジューリング要求と、を含む。第１シンボルは、時間領域において、第２シンボルの前に配置される。
【００１７】
この態様の一実施形態によると、少なくとも２つの制御メッセージの内の第１制御メッセージは、ショート物理アップリンク制御チャネル（ｓＰＵＣＣＨ）を提供するシンボル内にあり、少なくとも２つの制御メッセージの内の第２制御メッセージは、ＮＲ  ＴＤＤスロット内の別のｓＰＵＣＣＨにある。この態様の一実施形態によると、第２制御メッセージは、アップリンクに使用されるシンボルの最後にシンボルに対応、及び／又は、ＮＲ  ＴＤＤスロットの最後のシンボルに対応する。
【００１８】
この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によると、少なくとも２つの制御メッセージは、ＮＲ  ＴＤＤスロットの少なくとも２つのシンボルの内の第１シンボル上に配置される様に構成されたダウンリンク割り当てと、ＮＲ  ＴＤＤスロットの少なくとも２つのシンボルの内の第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００１９】
この態様の一実施形態によると、少なくとも２つの制御メッセージの内の第１制御メッセージは、ショート物理ダウンリンク制御チャネル（ｓＰＤＣＣＨ）にあり、少なくとも２つの制御メッセージの内の第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域における少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００２０】
本開示の別の態様によると、ニューレディオ時分割複信（ＮＲ  ＴＤＤ）を使用する無線デバイスが提供される。無線デバイスは、ＮＲ  ＴＤＤスロットの少なくとも２つのシンボルに渡る少なくとも２つの制御メッセージの構成されたポジショニングにより動作する様に構成された処理回路を含む。少なくとも２つのシンボルは、時間領域において異なるシンボルである。
【００２１】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルの内の第１シンボル上に位置する様に構成されたダウンリンクハイブリッド自動再送要求（ＨＡＲＱ）と、ＮＲ  ＴＤＤスロットの少なくとも２つのシンボルの内の第２シンボル上に位置する様に構成されたスケジューリング要求と、を含む。第１シンボルは、時間領域において、第２シンボルの前に配置される。この態様の一実施形態によると、少なくとも２つの制御メッセージの内の第１制御メッセージは、ショート物理アップリンク制御チャネル（ｓＰＵＣＣＨ）にあり、少なくとも２つの制御メッセージの内の第２制御メッセージは、ＮＲ  ＴＤＤスロット内の別のｓＰＵＣＣＨにある。
【００２２】
この態様の一実施形態によると、第２制御メッセージは、アップリンクに使用されるシンボルの最後のシンボルに対応、及び／又は、ＮＲ  ＴＤＤスロットの最後のシンボルに対応する。この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルの内の第１シンボル上に配置される様に構成されたダウンリンク割り当てと、ＮＲ  ＴＤＤスロットの少なくとも２つのシンボルの内の第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００２３】
この態様の一実施形態によると、少なくとも２つの制御メッセージの内の第１制御メッセージは、ショート物理ダウンリンク制御チャネル（ｓＰＤＣＣＨ）にあり、少なくとも２つの制御メッセージの内の第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域における少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００２４】
本開示の他の実施形態によると、ニューレディオ時分割複信（ＮＲ  ＴＤＤ）を使用する無線デバイスのための方法が提供される。無線デバイスは、ＮＲ  ＴＤＤスロットの少なくとも２つのシンボルに渡る少なくとも２つの制御メッセージの構成されたポジショニングにより動作する。少なくとも２つのシンボルは、時間領域において異なるシンボルである。
【００２５】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルの内の第１シンボル上に位置する様に構成されたダウンリンクハイブリッド自動再送要求（ＨＡＲＱ）と、ＮＲ  ＴＤＤスロットの少なくとも２つのシンボルの内の第２シンボル上に位置する様に構成されたスケジューリング要求と、を含む。第１シンボルは、時間領域において、第２シンボルの前に配置される。この態様の一実施形態によると、少なくとも２つの制御メッセージの内の第１制御メッセージは、ショート物理アップリンク制御チャネル（ｓＰＵＣＣＨ）にあり、少なくとも２つの制御メッセージの内の第２制御メッセージは、ＮＲ  ＴＤＤスロット内の別のｓＰＵＣＣＨにある。
【００２６】
この態様の一実施形態によると、第２制御メッセージは、アップリンクに使用されるシンボルの最後のシンボルに対応、及び／又は、ＮＲ  ＴＤＤスロットの最後のシンボルに対応する。この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルの内の第１シンボル上に配置される様に構成されたダウンリンク割り当てと、ＮＲ  ＴＤＤスロットの少なくとも２つのシンボルの内の第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００２７】
この態様の一実施形態によると、少なくとも２つの制御メッセージのうちの第１制御メッセージは、ショート物理ダウンリンク制御チャネル（ｓＰＤＣＣＨ）にあり、少なくとも２つの制御メッセージの内の第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。
【００２８】
この態様の一実施形態によると、時間領域における少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００２９】
本開示の別の態様によると、ニューレディオ時分割複信（ＮＲ  ＴＤＤ）を使用するネットワークノードが提供される。ネットワークノードは、ＮＲ  ＴＤＤスロットの少なくとも２つのシンボルに渡る少なくとも２つの制御メッセージのポジショニングを構成する様に構成された構成モジュールを含む。少なくとも２つのシンボルは、時間領域において異なるシンボルである。
【００３０】
本開示の別の態様によると、ニューレディオ時分割複信（ＮＲ  ＴＤＤ）を使用する無線デバイスが提供される。無線デバイスは、ＮＲ  ＴＤＤスロットの少なくとも２つのシンボルに渡る少なくとも２つの制御メッセージの構成されたポジショニングにより動作する様に構成された動作モジュールを含む。少なくとも２つのシンボルは、時間領域において異なるシンボルである。
【００３１】
本実施形態と、それに付随する利点及び特徴のより完全な理解は、以下の詳細な説明を参照し、添付の図面と併せて考慮することによってより容易に理解されるであろう。
【図面の簡単な説明】
【００３２】
【図１】既存のスロット配置のブロック図。
【図２】本開示の原理に従う例示的な構成システムのブロック図。
【図３】本開示の原理に従う例示的な構成処理のフローチャート。
【図４】本開示の原理に従う他の例示的な構成処理のフローチャート。
【図５】本開示の原理に従い、ＵＬ及びＤＬについて最短のラウンドトリップ時間を可能にするために、ＤＬ及びＵＬの制御が異なるシンボルに渡り分散されるブロック図。
【図６】本開示の原理に従う可変のミニスロットの使用を示すブロック図。
【図７】ミニスロット７における無線デバイスからのスケジューリング要求（ＳＲ）の後、最初にミニスロット２でアップリンク割り当て（ＵＡ）が本開示の原理に従いＤＬで送信される、アップリンク送信のブロック図。
【図８】本開示の原理に従い、アップリンク送信が失敗し、再送信が行われる状況を示すブロック図。
【図９】本開示の原理に従い、ダウンリンク送信が成功した状況を示すブロック図。
【図１０】ダウンリンクデータ送信が失敗し、その後、送信される状況を示すブロック図。
【図１１】本開示の原理に従うノードの代替実施形態のブロック図。
【図１２】本開示の原理に従う例示的な動作処理のフローチャート。
【図１３】本開示の原理に従う無線デバイスの代替実施形態のブロック図。
【発明を実施するための形態】
【００３３】
ＮＲ−ＴＤＤでは、送信機会の遅れが遅延に大きな影響を及ぼす。ダウンリンク（ＤＬ）制御を最初の１つのシンボルに集め、アップリンク（ＵＬ）制御を最後の１つのシンボルに集めた場合、現実的な処理遅延を仮定すると、低いラウンドトリップ時間を達成することは不可能である。
【００３４】
本開示は、ＮＲの文脈内で説明され、可能な最短のラウンドトリップ時間を可能にするために、ＮＲのＴＤＤスロットに渡り制御メッセージを有利に分散させる。言い換えると、少なくとも２つの制御メッセージが同じＮＲ  ＴＤＤスロット内の異なるシンボル上で送信され、それにより、ＮＲ  ＴＤＤスロット内に少なくとも２つの制御チャネルを提供し、ここで、少なくとも２つの制御チャネルは、少なくとも２つのアップリンクチャネル又は少なくとも２つのダウンリンクチャネルであり得る。これにより、ＮＲ  ＴＤＤのＵＬデータ及びＤＬデータの両方で伝送遅延を最小化できる。
【００３５】
本開示に従う例示的な実施形態を詳細に説明する前に、実施形態は、主に、装置／ノード／無線デバイスコンポーネントと、ニューレディオ時分割複信（ＮＲ−ＴＤＤ）を使用した超高信頼低遅延通信（ＵＲＬＬＣ）を最適化するための制御メッセージのリソースの構成に関連する処理ステップとの組合せにあることに留意されたい。
【００３６】
したがって、構成要素は、図面における従来の記号により、本開示の実施形態を理解することに関連する特定の詳細のみを示し、本開示の利点を有する技術分野の当業者には容易に明らかとなる程度の詳細で本開示を曖昧にしない様に記載される。
【００３７】
本明細書で使用されるとき、"第１"、"第２"、"上部"及び"下部"等の関係用語は、その様なエンティティ又は要素間の物理的又は論理的な関係や順序を暗示・必要とすることなく、あるエンティティ又は要素を別のエンティティ又は要素から区別するためにのみ使用される。本明細書で使用される用語は、特定の実施形態を説明することのみを目的としており、本明細書で説明されている概念を限定することを意図していない。単数形式は、文脈が明らかに他の場合を示している場合を除き、複数形式を含むことが意図される。本明細書で使用されるとき、用語"含む"、"備える"及び／又は"有する"は、記載された特徴、整数、ステップ、動作、要素、及び／又は、構成要素の存在を特定するが、１つ以上の他の特徴、整数、ステップ、動作、要素、構成要素、及び／又は、それらのグループの存在又は追加を排除しない。
【００３８】
他に定義されない限り、本明細書で使用されるすべての用語（技術的及び科学的用語を含む）は、本開示が属する技術分野の当業者によって一般に理解されるのと同じ意味を有する。さらに、本明細書で使用される用語は、本明細書及び関連技術の文脈におけるそれらの意味と一致する意味を有すると解釈されるべきであり、本明細書で明確に定義されない限り理想的又は過度に形式的な意味で解釈されない。
【００３９】
本明細書に記載の実施形態では、"〜と通信する"等の用語は、物理的接触、誘導、電磁放射、無線信号、赤外線信号又は光信号によって達成され得る電気又はデータ通信を示すために使用され得る。当業者は、複数の構成要素が相互動作でき、電気的通信及びデータ通信を達成するための修正形態及び変形形態が可能であることを理解するであろう。
【００４０】
本明細書で使用される"ネットワークノード"又は"無線ネットワークノード"という用語は、基地局（ＢＳ）、無線基地局、基地トランシーバ局（ＢＴＳ）、基地局コントローラ（ＢＳＣ）、無線ネットワークコントローラ（ＲＮＣ）、発展型ノードＢ（ｅＮＢ又はｅＮｏｄｅＢ）、ノードＢ、マルチスタンダード無線（ＭＳＲ）ＢＳ等のＭＳＲ無線ノード、リレーノード、リレーを制御するドナーノード、無線アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノードのいずれかを含み得る無線ネットワークに含まれる任意の種類のネットワークノードであり得る。
【００４１】
本明細書で使用される無線デバイスという用語は、セルラー通信システム又はモバイル通信システム内のネットワークノード及び／又は別の無線デバイスと通信する任意の種類の無線デバイスを参照し得る。無線デバイスの例は、ユーザ装置（ＵＥ）、ターゲットデバイス、デバイス・トゥ・デバイス（Ｄ２Ｄ）無線デバイス、マシン型無線デバイス若しくはマシン・トゥ・マシン（Ｍ２Ｍ）通信が可能な無線デバイス、ＰＤＡ，ｉＰＡＤ、タブレット、移動端末、スマートフォン、ラップトップエンベディドイクイップメント（ＬＥＥ）、ラップトップに実装された装置（ＬＭＥ）、ＵＳＢドングル等である。
【００４２】
さらに、無線デバイス又はネットワークノードによって実行されるものとして本明細書で説明されている機能は、複数の無線デバイス及び／又はネットワークノードに渡り分散させることができることに留意されたい。言い換えると、本明細書に記載のネットワークノード及び無線デバイスの機能は、単一の物理デバイスによる性能に限定されず、実際、同じ又は異なる物理的位置に配置された、幾つかの物理デバイス間に分散できる。
【００４３】
ここで図面を参照すると、同様の参照符号は同様の要素を指す。図２は、参照符号"１０"により示され、本開示の原理に従って、ニューレディオ時分割複信（ＮＲ−ＴＤＤ）を使用して超高信頼低遅延通信（ＵＲＬＬＣ）を最適化するための制御メッセージのリソースを構成するための例示的システムのブロック図である。システム１０は、１つ以上のネットワークノード１２と、１つ以上の通信リンク、パス及び／又はネットワークを介して相互に通信する１つ以上の無線デバイス１４を含む。
【００４４】
ネットワークノード１２は、ＬＴＥベースの通信プロトコル等の１つ以上の通信プロトコルを介して、無線デバイス１４、他のネットワークノード１２、及び／又は、システム１０内の他のエンティティと通信するための送信機１６及び受信機１８を含む。特に、本開示は、ＮＲ−ＴＤＤの文脈内で記述される。１つ以上の実施形態において、送信機１６及び／又は受信機１８は、信号、パケット、メッセージ等を通信するための１つ以上の通信インタフェースに置換することができる。
【００４５】
ネットワークノード１２は、実行されたときに、図３から図９に関して記述する１つ以上の機能等のネットワークノード１２の機能を実行する様に処理回路２０を構成する命令を含む処理回路２０を含む。１つ以上の実施形態において、処理回路２０は、構成コード２６等のコードを記憶する様に構成されたメモリ２４を含む。例えば、構成コード２６は、プロセッサ２２によって実行されたときに、プロセッサ２２に図３〜図９に関して詳細に説明する構成プロセスを実行させる命令を含む。
【００４６】
プロセッサ及びメモリ、たとえば従来のプロセッサ及びメモリに加えて、処理回路２０は、処理及び／又は制御のための集積回路、たとえば１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路２０は、メモリ２４を含む、及び／又は、それに接続される、及び／又は、それにアクセスする（たとえばそこに書き込む、及び／又は、そこから読み取る）様に構成される。メモリ２４は、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。その様なメモリ２４は、制御回路によって実行可能なコード及び／又は他のデータ、たとえば通信に関するデータ、たとえばノードの構成及び／又はアドレスデータ、ＢＰＳＫ及びＱＰＳＫ等の変調及び符号化方式等を格納する様に適合され得る。
【００４７】
処理回路２０は、本明細書に記載の方法のうちのいずれかを制御する様に、及び／又は、そのような方法を、たとえばネットワークノード１２に実行させる様に構成することができる。対応する命令はメモリ２４に記憶されてもよく、メモリ２４は処理回路２０によって読み取り可能及び／又は読み取り可能に接続されてもよい。言い換えると、処理回路２０は、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを含み得るコントローラを含み得る。処理回路２０は、コントローラ及び／又は処理回路２０による読み取り及び／又は書き込みのためにアクセス可能である様に適合され得るメモリを含むか、又はそれらに接続されるか又は接続可能であり得ると考えられ得る。
【００４８】
無線デバイス１４は、ＬＴＥベースの通信プロトコル等の１つ以上の通信プロトコルを介して、ネットワークノード１２、他の無線デバイス１４、及び／又は、システム１０内の他のエンティティと通信するための送信機２８及び受信機３０を含む。１つ以上の実施形態において、送信機２８及び／又は受信機３０は、信号、パケット、メッセージ等を通信するためのエアインタフェース及び／又は他のインタフェースの様な通信インタフェースに置換され得る。
【００４９】
無線デバイス１４は、処理回路３２を含み、処理回路３２は、実行されたときに、図５から図１０及び図１２に関して記述する１つ以上の機能等の無線デバイス１４の機能を実行する様に処理回路３２を構成する命令を含む。１つ以上の実施形態において、処理回路３２は、動作コード３８等のコードを記憶する様に構成されたメモリ３６を含む。例えば、動作コード３８は、プロセッサ３４によって実行されたときに、プロセッサ３４に図４に関して詳細に説明する構成プロセスを実行させる命令を含む。
【００５０】
プロセッサ及びメモリ、たとえば従来のプロセッサ及びメモリに加えて、処理回路３２は、処理及び／又は制御のための集積回路、たとえば１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路３２は、メモリ３６を含む、及び／又は、それに接続される、及び／又は、それにアクセスする（たとえばそこに書き込む、及び／又は、そこから読み取る）様に構成される。メモリ２４は、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。その様なメモリ３６は、制御回路によって実行可能なコード及び／又は他のデータ、たとえば通信に関するデータ、たとえばノードの構成及び／又はアドレスデータ、ＢＰＳＫ及びＱＰＳＫ等の変調及び符号化方式等を格納する様に適合され得る。
【００５１】
処理回路３２は、本明細書に記載の方法のうちのいずれかを制御する様に、及び／又は、そのような方法を、たとえば無線デバイス１４に実行させる様に構成することができる。対応する命令はメモリ３６に記憶されてもよく、メモリ２４は処理回路３２によって読み取り可能及び／又は読み取り可能に接続されてもよい。言い換えると、処理回路３２は、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを含み得るコントローラを含み得る。処理回路３２は、コントローラ及び／又は処理回路３２による読み取り及び／又は書き込みのためにアクセス可能である様に適合され得るメモリを含むか、又はそれらに接続されるか又は接続可能であり得ると考えられ得る。
【００５２】
無線デバイス１４及びネットワークノード１２は、それぞれ、制御メッセージの処理及び送信の準備のために１つのＯＦＤＭシンボルを必要とすることを仮定する。この想定は、本開示の総てのヌメロロジーに適用される。
【００５３】
図３は、本開示の原理に従う例示的な構成処理のフローチャートである。１つ以上の実施形態において、処理回路２０は、ＮＲ  ＴＤＤスロットの少なくとも２つのシンボルに渡る少なくとも２つの制御メッセージのポジショニングを構成する様に構成される（ブロックＳ１００）。例えば、２つの制御メッセージは、アップリンクで送信される２つの制御メッセージ、或いは、ダウンリンクで送信される２つの制御メッセージである。ネットワークノードによるポジショニングの構成は、記述される様に、ネットワークノードによる送信の任意の構成、又は、送信されるダウンリンク又はアップリンク制御メッセージ又はチャネルを提供する無線デバイスの任意の構成と見做し得る。１つ以上の実施形態において、ＮＲ  ＴＤＤスロットの少なくとも２つのシンボルに渡る少なくとも制御メッセージのポジショニングは、ＮＲ  ＴＤＤスロットの少なくとも２つのｓＰＤＣＣＨ内の様な、ＮＲ  ＴＤＤスロットの少なくとも２つのシンボルに渡り少なくとも２つの制御メッセージを送信するネットワークノード１２を含む。例えば、図５に示す様に（記述は以下）、ネットワークノード１２は、無線デバイス１４へのＤＬ割り当て、ＵＬ割り当て、及びＵＬ  ＨＡＲＱといったダウンリンク制御メッセージのうちの少なくとも２つを送信する。１つ以上の実施形態において、ＮＲ  ＴＤＤスロットの少なくとも２つのシンボルに渡る少なくとも制御メッセージのポジショニングは、ＮＲ  ＴＤＤスロットの少なくとも２つのｓＰＤＣＣＨ内の様な、ＮＲ  ＴＤＤスロットの少なくとも２つのシンボルに渡り少なくとも２つのアップリンク制御メッセージを、無線デバイス１４に送信させる、或いは、無線デバイス１４が送信する様に設定することを含む。例えば、図５に示す様に（記述は以下）、無線デバイス１４は、ＤＬ  ＨＡＲＱ及びＳＲのアップリンク制御メッセージのうちの少なくとも２つをネットワークノード１２に送信する、或いは、送信する様に構成される。
【００５４】
例えば、少なくとも２つの制御メッセージ、例えば、第１及び第２の制御メッセージは、例えば、単一スロット（７又は１４のシンボル）のｓＰＤＣＣＨ又はｓＰＵＣＣＨ等の少なくとも２つの制御チャネルに配置され、少なくとも２つの制御チャネルは、少なくとも２つのアップリンクチャネル又は少なくとも２つのダウンリンクチャネルであり得る。別の例では、異なる構成が図５〜図１０に関して説明され、そこでは、ＮＲ  ＴＤＤスロット内の少なくとも２つのシンボル上の少なくとも２つのメッセージのリソース構成が、ニューレディオ時分割複信（ＮＲ−ＴＤＤ）を使用する超高信頼低遅延通信（ＵＲＬＬＣ）を有利に最適化する。１つ以上の実施形態において、シンボルは、１つ以上の制御チャネルに含まれ得るＯＦＤＭシンボル、つまり、制御シンボルである。１つ以上の実施形態において、少なくとも２つのシンボルは、時間領域において異なるシンボルである。
【００５５】
１つ以上の実施形態において、処理回路２０は、ＮＲ  ＴＤＤスロットの少なくとも２つのシンボルに渡るダウンリンク制御メッセージの配置を構成する様に構成される。１つ以上実施形態において、ＮＲ  ＴＤＤスロットは、同じＮＲ  ＴＤＤスロット内の、たとえば２つのｓＰＤＣＣＨ又はｓＰＵＣＣＨといった、少なくとも２つの制御チャネルを含み、少なくとも２つの制御チャネルは、少なくとも２つのアップリンクチャネル又は少なくとも２つのダウンリンクチャネルであり得る。別の例では、異なる構成が図５〜図１０に関して説明され、そこでは、ＮＲ  ＴＤＤスロット内の少なくとも２つのシンボル上の少なくとも２つのメッセージのためのリソース構成は、ニューレディオ時分割複信（ＮＲ−ＴＤＤ）を使用する超高信頼低遅延通信（ＵＲＬＬＣ）を有利に最適化する。１つ以上の実施形態において、シンボルは、１つ以上の制御チャネルに含まれ得るＯＦＤＭシンボル、つまり、制御シンボルである。
【００５６】
図４は、本開示の原理の動作処理の他の例示的な実施形態のフローチャートである。１つ以上の実施形態において、処理回路３２は、ＮＲ  ＴＤＤスロットの少なくとも２つのシンボルに渡る少なくとも２つの制御メッセージのポジショニングにより動作する様に構成される（ブロックＳ１０２）。１つ以上の実施形態において、ＮＲ  ＴＤＤスロットの少なくとも２つのシンボルに渡る少なくとも制御メッセージの構成されたポジショニングによる動作は、ＮＲ  ＴＤＤスロットの少なくとも２つのｓＰＤＣＣＨ内の様な、ＮＲ  ＴＤＤスロットの少なくとも２つのシンボルに渡る少なくとも２つの制御メッセージを無線デバイス１４が受信することを含む。例えば、図５に示す様に（記述は以下）、無線デバイス１４は、ＤＬ割り当て、ＵＬ割り当て、及びＵＬ  ＨＡＲＱのダウンリンク制御メッセージのうちの少なくとも２つをネットワークノード１４から受信する。１つ以上の実施形態において、ＮＲ  ＴＤＤスロットの少なくとも２つのシンボルに渡る少なくとも制御メッセージの構成されたポジショニングによる動作は、ＮＲ  ＴＤＤスロットの少なくとも２つのｓＰＵＣＣＨ内の様な、ＮＲ  ＴＤＤスロットの少なくとも２つのシンボルに渡る少なくとも２つの制御メッセージを無線デバイス１４が送信することを含む。例えば、図５に示す様に（記述は以下）、無線デバイス１４は、ＤＬ  ＨＡＲＱ及びＳＲのアップリンク制御メッセージのうちの少なくとも２つをネットワークノード１２に送信する。言い換えると、制御メッセージは、ネットワークノード１２及び／又は無線デバイス１４によって送信されるメッセージを参照する。
【００５７】
例えば、異なる構成が図５〜図１０に関して説明され、そこでは、少なくとも２つのシンボル上のメッセージのためのリソース構成は、ニューレディオ時分割複信（ＮＲ−ＴＤＤ）を使用する超高信頼低遅延通信（ＵＲＬＬＣ）をかなり最適化する。１つ以上の実施形態において、少なくとも２つのシンボルは、時間領域において異なるシンボルである。
【００５８】
本実施形態において、処理回路３２は、ＮＲ  ＴＤＤスロットの少なくとも２つのシンボルに渡るアップリンク制御メッセージの配置を構成する様に構成される。別の例では、異なる構成が図５〜図１０に関して説明され、そこでは、少なくとも２つのシンボル上のメッセージのためのリソース構成は、ニューレディオ時分割複信（ＮＲ−ＴＤＤ）を使用する超高信頼低遅延通信（ＵＲＬＬＣ）をかなり最適化する。
【００５９】
１つ以上の実施形態において、図３及び図４のプロセスは、ＮＲ  ＴＤＤスロットの各シンボル上にアップリンク（ＵＬ）制御メッセージ及びダウンリンク（ＤＬ）制御メッセージの両方が配置される様に結合される。ここで使用される様に、アップリンクは無線デバイス１４からネットワークノード１２への通信を指し、ダウンリンクはネットワークノード１２から無線デバイス１４への通信を指す。
【００６０】
例えば、図５は、ＵＬ及びＤＬの最短のラウンドトリップ時間を可能にするために、ＤＬ及びＵＬにおける制御メッセージが異なるシンボルにわたって拡散されるブロック図である。特に、一実施形態では、ＮＲ  ＴＤＤスロット等の単一スロットは、少なくとも２つの制御メッセージを搬送するための２つのｓＰＤＣＣＨ又は２つのｓＰＵＣＣＨを含む。ネットワークノード１２と無線デバイス１４との間のメッセージ、シグナリング、通信等を図５に示す。１つ以上の実施形態において、制御メッセージのために、
−ＤＬ割り当ては、ＤＬデータの早期復号を可能にするためにスロットの最初のＤＬシンボルで送信される。１つ以上の実施形態において、ダウンリンク割り当ては、ＮＲ個のＴＤＤスロットの少なくとも２つのシンボルのうちの第１シンボル上に配置される様に構成される。
−ＵＬ割り当て（ＵＬ許可／  ＵＬハイブリッド自動再送要求（ＨＡＲＱ）再送信許可を搬送する）は、ｅＮＢにおけるＵＬデータの処理及び（ＳＲに基づく）ＵＬ送信のスケジューリング及び再送信（ＵＬデータに基づく）を可能にするためにスロットの第２ＤＬシンボルで送信される。１つ以上の実施形態において、アップリンク割り当て又はアップリンクハイブリッド自動再送要求（ＨＡＲＱ）は、ＮＲ個のＴＤＤスロットの少なくとも２つのシンボルのうちの第２シンボルに配置される様に構成される。
−ＤＬハイブリッド自動再送要求は、ｅＮＢにおける再送信の処理を可能にするため、スロットの最後から２番目のＵＬシンボルで送信される。１つ以上の実施形態において、ダウンリンクハイブリッド自動再送要求（ＨＡＲＱ）は、ＮＲ  ＴＤＤスロットの少なくとも２つのシンボルのうちの第１シンボル上に配置される様に構成され、本明細書において第１シンボルは、スロットの任意のシンボルを参照する。
−スケジューリング要求（ＳＲ）は、ＵＥにおいてＳＲの遅い決定を可能にし、ｅＮＢにおいてＵＬ割り当ての処理を可能にするために、スロット内の最後のＵＬシンボルで送信される。１つ以上の実施形態において、スケジューリング要求は、ＮＲ  ＴＤＤスロットの少なくとも２つのシンボルのうちの第２シンボル上に配置される様に構成され、第１シンボルは時間領域において第２シンボルの前に配置される。
【００６１】
言い換えると、ネットワークノード１２は、制御メッセージを送信し、特定のデータ、制御メッセージ及び／又はシグナリングを受信する。送信される制御メッセージの種類、及び受信されるデータ、制御メッセージ及び／又はシグナリングの種類は、例えば、図５に関して説明した状況及び／又は例に基づいて変化する。また、無線デバイス１４は、制御メッセージを受信し、制御メッセージ及び／又はＤＬ  ＨＡＲＱ及び／又はＳＲ等のシグナリングに基づいてデータを送信する。受信される制御メッセージの種類、及び送信されるデータ及び／又はシグナリングの種類は、図５に関して説明した状況及び／又は例に基づいて変化する。１つ以上の実施形態において、アップリンク割り当ては、ネットワークノード１２内の処理速度及び／又はスロット構成に応じて、ＮＲ  ＴＤＤスロットの第２ダウンリンクシンボルの後のダウンリンクシンボル内に構成される。１つ以上の実施形態において、ダウンリンクＨＡＲＱは、ネットワークノード１２内の処理速度及び／又はスロット構成に応じて、ＮＲ  ＴＤＤスロットの第２から最後のアップリンクシンボルより早いアップリンクシンボル内に構成される。
【００６２】
いくつかの態様において、アップリンク及び／又はダウンリンクにおける制御チャネルに関して、異なる制御メッセージ又はチャネルの送信は、時間領域において異なるシンボル（及び／又は異なるミニスロット）上で行われる。例えば、アップリンク制御メッセージは、無線デバイスによって別々のシンボル（及び／又は別々のミニスロット）で送信される。例えば、無線デバイスは、時間領域において、第１（例えばＤＬ  ＨＡＲＱ）アップリンク制御メッセージを、第２（例えばＳＲ）アップリンク制御メッセージとは別個の又は異なるシンボルで送信する様に構成される。いずれの例による第１及び第２の制御メッセージも、両方ともアップリンク制御メッセージであり得るか、又は両方ともダウンリンク制御メッセージであり得る。スロットは、アップリンク及びダウンリンク制御メッセージの一方又は両方を含み得る。
【００６３】
１つ以上の実施形態において、ＮＲ−ＴＤＤスロット等のスロット内の２つのＤＬシンボル及び２つのＵＬシンボルの最小が使用され、したがって、７シンボルスロットの場合に３シンボルの保護期間が可能になる。１つ以上の実施形態において、ネットワークノード１２及び無線デバイス１４における処理遅延に応じて、ＵＬ割り当てはより後のシンボルで送信され、ＤＬ  ＨＡＲＱはより前のシンボルで送信される。この構成は、スロット当たり１４個のＯＦＤＭシンボルの場合にも関連がある。１つ以上の実施形態において、本明細書で説明されている様に複数のＯＦＤＭシンボルが制御メッセージに使用される。
【００６４】
１つ以上の実施形態において、無線デバイス１４及び／又はネットワークノード１２は、スロット構成、スロット内のＤＬシンボル数、ガードシンボル数及びＵＬシンボル数に基づき、ＵＬ及びＤＬ制御メッセージの配置を自動的に構成する。
【００６５】
物理リソース
ＤＬ制御
（周波数における）部分的なＤＬ割り当て又は第１のＯＦＤＭシンボル全体のような制御メッセージの位置は、無線デバイス１４によってブラインド検出されたサーチスペースで事前設定される。この制御メッセージは、ＤＬデータの位置を示し、より後のシンボルの部分（周波数における）上のＵＬ割り当ての位置も示し得る。オプションとして、ＵＬ割り当ての位置は、無線スデバイス１４によってブラインド検出された、事前設定されたサーチスペースでもある。
【００６６】
データを伴うＵＬ制御
無線デバイス１４用のスロット内にＵＬデータが存在する場合、ＤＬ  ＨＡＲＱ及びＳＲは、この無線デバイス１４のＵＬデータ送信においてＯＦＤＭシンボルの一部にパンクチャリングすることができる。
【００６７】
データを伴わないＵＬ制御
無線デバイス１４が送信するＵＬデータを有していないが、送信するＤＬ  ＨＡＲＱ及び／又はＳＲを有する場合、（物理アップリンク制御チャネル（（ＰＵＣＣＨ）と同様に）異なるチャネルが使用され得る。しかしながら、ＤＬ  ＨＡＲＱメッセージは、時間における同じ分布を有し、配置は、無線デバイス１４内及びネットワークノード１２内での処理を可能にし得る。それ故、データシンボルは、それほど早く来ないかもしれず、処理を可能にするために最後のシンボルの前に終わるべきである。したがって、３つのＵＬシンボルでは、参照シンボル−データシンボル−参照シンボルのパターンが適しており、４つのシンボルでは、２つのデータシンボルが２つの参照シンボルで囲まれ得る。ＤＬ  ＨＡＲＱが送信されない場合、同じ構造をＳＲに使用することができ、あるいは、ＳＲが指示されるときは、最後の参照シンボルがＳＲデータに置き換えられる。
【００６８】
以下の例は、本明細書に記載の制御チャネル構成を使用して、送信及び再送信がＤＬ及びＵＬの場合に対してどの様に行われるかを実証する。図６〜図１０の例において、１つのミニスロットが１つのＯＦＤＭシンボルの長さを有すると仮定しているが、本開示の教示に従い他のミニスロット長を使用することができる。スロットは、１４又は７ＯＦＤＭシンボルの長さを有し得る。ミニスロットは、例えば、１シンボル、２シンボル、又は、３シンボル、或いは、１４シンボルスロットの場合は７シンボルといった、スロットよりも短い長さを有してもよい。ＴＤＤでは、アップリンク送信とダウンリンク送信は時間的に連続している、つまり、同じ周波数帯域上での時分割複信である。構成を説明する前に、図６に関してシンボルの使用法を説明する。具体的には、図６のオプション１〜３に示す様に、シンボルの使用法は変化し、これは、送信及び再送信の全体的な遅延に影響を与える。シンボルの使用法に関する３つの異なるオプションとして、（１）ガードタイムによって保護された同じ比率のＤＬ及びＵＬミニスロット、（２）より高い比率のＵＬシンボル、及び（３）より高い比率のＤＬのみのシンボルが例示される。図１に関して説明したオプションもまた、本開示の例と見做すことができる。シンボル構成の選択は、トラフィックニーズへの適合として、この実施形態では第１ミニスロットである第１シンボル内で実行時に示され得る。この様に、ＵＬ及びＤＬ制御の配置は、第１シンボルで送信される制御メッセージに基づき構成され得る。いくつかの態様において、制御メッセージ（たとえば、無線デバイスからアップリンクで送信される制御メッセージ）は、それぞれ、時間領域内の１つ（又は複数）のシンボル上で送信され得る。いくつかの態様において、アップリンクで送信される制御メッセージは、それぞれ、シンボル上又は例えばスロット内といったミニスロット内で送信され、第１制御メッセージはアップリンクミニスロットで送信され、第２制御メッセージはさらなる後続のアップリンクミニスロットで送信される。いくつかの態様において、ダウンリンクで送信される制御メッセージは、それぞれ、シンボル上又は例えばスロット内といったミニスロット内で送信され、第１制御メッセージはダウンリンクミニスロットで送信され、第２制御メッセージはさらなる後続のダウンリンクミニスロットで送信される。スロットは、アップリンク制御メッセージ及び／又はダウンリンク制御メッセージを含み得る。いくつかの態様において、制御メッセージは、制御チャネルを参照し、例えば、第１制御チャネルは、第１制御メッセージ（例えば、ＤＬ  ＨＡＲＱ）を含み、第２制御チャネルは、第２制御メッセージ（例えばＳＲ）を含む。この様に、異なる制御チャネル、例えば、異なるタイプの制御メッセージ（例えば、ＤＬ  ＨＡＲＱ又はＳＲ）は、スロット内の時間領域において異なるシンボル上で送信される。残りの例は、図６に示されるオプション１に基づき説明される。しかしながら、本明細書に記載のアプローチは、図６の残りのオプションについても同様である。
【００６９】
図７は、アップリンク送信のブロック図であり、シンボル７での無線デバイス１４からのスケジューリング要求（ＳＲ）の後、最初に、シンボル２でアップリンク割り当て（ＵＡ）がＤＬで送信されている。その後、最後の３つのシンボルを使用してデータパケットが送信される。ＨＡＲＱ  ＤＬ確認応答は、シンボル２でこのデータパケットに対して送信される。オプション１を使用するアップリンクパケット送信は成功している。言い換えると、ネットワークノード１２は、制御メッセージを送信し、データ及び／又はシグナリングを受信する。送信される制御メッセージの種類及び受信されるデータの種類は、図５に関して説明した状況及び／又は例に基づき変化する。また、無線デバイス１４は、制御メッセージを受信し、制御メッセージ及び／又は送信するシグナリングに基づいてデータを送信する。受信される制御メッセージの種類、及び、送信されるデータ及び／又はシグナリングの種類は、図７に関して説明した状況及び／例に基づいて変化する。
【００７０】
図８は、アップリンク送信が失敗し、再送信が行われる状況を示すブロック図である。言い換えると、ネットワークノード１２は、制御メッセージを送信し、データ及び／又はシグナリングを受信する。送信される制御メッセージの種類、及び受信されるデータ及び／又はシグナリングの種類は、図８に関して説明した状況及び／又は例に基づいて変化する。また、無線デバイス１４は、制御メッセージを受信し、制御メッセージ及び／又は送信するシグナリングに基づいてデータを送信する。受信される制御メッセージの種類、及び送信されるデータ及び／又はシグナリングの種類は、図８に関して説明した状況及び／例に基づいて変化する。
【００７１】
図９は、ダウンリンク送信が成功した状況を示すブロック図である。言い換えると、ネットワークノード１２は、制御メッセージを送信し、データ及び／又はシグナリングを受信する。送信される制御メッセージの種類、及び、受信されるデータ及び／又はシグナリングの種類は、図９に関して説明した状況及び／又は例に基づいて変化する。また、無線デバイス１４は、制御メッセージを受信し、制御メッセージ及び／又は送信するシグナリングに基づいてデータを送信する。受信される制御メッセージの種類、及び送信されるデータ及び／又はシグナリングの種類は、図９に関して説明した様な状況及び／又は例に基づいて変化する。
【００７２】
図１０は、ダウンリンクデータ送信が失敗し、その後、送信される状況を示すブロック図である。言い換えると、ネットワークノード１２は、制御メッセージを送信し、データ及び／又はシグナリングを受信する。送信される制御メッセージの種類、及び受信されるデータ及び／又はシグナリングの種類は、図１０に関して説明した様な状況及び／又は例に基づいて変化する。また、無線デバイス１４は、制御メッセージを受信し、制御メッセージ及び／又は送信するシグナリングに基づいてデータを送信する。受信される制御メッセージの種類、及び、送信されるデータ及び／又はシグナリングの種類は、図１０に関して説明した様な状況及び／又は例に基づいて変化する。
【００７３】
図１１は、本開示の原理によるノード１２の代替実施形態のブロック図である。ネットワークノード１２は、図３及び図４に関して詳細に説明した構成プロセスと、図５から図１０で説明したネットワークノード１２のシグナリングと、を実行する構成モジュール４０を含む。したがって、ネットワークは、ＮＲ−ＴＤＤにおいて可能な限り低い遅延が実現され得る様に、スロット内のＯＦＤＭシンボルに渡り無線デバイス１４の制御及びフィードバックリソースを分配する。
【００７４】
図１２は、本開示の原理に従う動作モジュール４２の例示的な動作処理のフローチャートである。処理回路は、ＮＲ  ＴＤＤスロットの少なくとも２つのシンボル上の少なくとも２つの制御メッセージの構成されたポジショニングに従って動作する様に構成され、少なくとも２つのシンボルは時間領域において異なるシンボルである（ブロックＳ１０４）。１つ以上の実施形態において、処理回路３２は、制御メッセージがニューレディオ時分割複信（ＮＲ−ＴＤＤ）スロットの少なくとも２つのシンボルに配置されている制御メッセージを受信する様に構成される。１つ以上の実施形態において、処理回路３２は情報を送信する様に構成される。例えば、１つ以上の実施形態において、情報は受信した制御メッセージに基づき送信される。１つ以上の実施形態において、処理回路３２は、制御メッセージの配置の構成表示のブラインド検出を実行、すなわち、"ＤＬ制御"、"データを伴うＵＬ制御"及び"データを伴わないＵＬ制御"セクションの様な、"物理リソース"セクションに関して上述した様に制御メッセージの配置の構成表示のブラインド検出を実行する。たとえば、制御メッセージに基づいて、無線デバイス１４は、図５〜図１０に関して説明した様に、信号、メッセージ、及び／又は、情報を送信することができ、及び／又は、図５〜図１０に関して説明した様に、信号、メッセージ、及び／又は、情報を予期することができる。
【００７５】
図１３は、本開示の原理による無線デバイス１４の代替実施形態のブロック図である。無線デバイス１４は、図１２に関して詳細を説明した構成プロセスを実行する動作モジュール４２を含み、図５〜図１０で説明した無線デバイス１４のメッセージングを実行する。
【００７６】
幾つかの実施形態
本開示の一態様によると、ニューレディオ時分割複信（ＮＲ  ＴＤＤ）を使用するネットワークノード１２が提供される。ネットワークノード１２は、ＮＲ  ＴＤＤスロットの少なくとも２つのシンボルに渡るダウンリンク制御メッセージの配置を構成する様に構成された処理回路２０を含む。
【００７７】
実施形態の一態様によると、ダウンリンク制御メッセージは、ダウンリンク割り当て及びアップリンク割り当てを含み、ダウンリンク割り当ては、ＮＲ  ＴＤＤスロットのアップリンク割り当てとは異なるシンボル上に構成される。実施形態の一態様によると、アップリンク割り当ては、ＮＲ  ＴＤＤスロットの第２ダウンリンクシンボルに構成される。実施形態の一態様によると、ダウンリンク割り当ては、ＮＲ  ＴＤＤスロットの第１ダウンリンクシンボルに構成される。
【００７８】
実施形態の一態様によると、処理回路２０は、ＮＲ  ＴＤＤスロットの少なくとも２つの他のシンボルに渡りアップリンク制御メッセージを構成する様にさらに構成される。実施形態の一態様によると、アップリンク制御メッセージは、ダウンリンクハイブリッド自動再送要求（ＨＡＲＱ）及びスケジューリング要求を含み、ダウンリンクＨＡＲＱは、ＮＲ  ＴＤＤスロットのスケジューリング要求とは異なるシンボル上に構成される。実施形態の一態様によると、スケジューリング要求は、ＮＲ  ＴＤＤスロットの最後のアップリンクシンボルに構成される。実施形態の一態様によると、ダウンリンクＨＡＲＱは、ＮＲ  ＴＤＤスロットの最後から２番目のアップリンクシンボルに構成される。この実施形態の一態様によると、ダウンリンク制御メッセージのうちの少なくとも１つは、ダウンリンクデータの場所及びアップリンク割り当ての場所のうちの１つを示す。
【００７９】
本開示の他の実施形態によると、ニューレディオ時分割複信（ＮＲ  ＴＤＤ）を使用するための方法が提供される。ダウンリンク制御メッセージの配置は、ＮＲ  ＴＤＤスロットの少なくとも２つのシンボルに渡り構成される。
【００８０】
実施形態の一態様によると、ダウンリンク制御メッセージは、ダウンリンク割り当てとアップリンク割り当てとを含む。ダウンリンク割り当ては、ＮＲ  ＴＤＤスロットのアップリンク割り当てとは異なシンボル上に構成される。実施形態の一態様によると、アップリンク割り当ては、ＮＲ  ＴＤＤスロットの第２ダウンリンクシンボルに構成される。実施形態の一態様によると、ダウンリンク割り当ては、ＮＲ  ＴＤＤスロットの第１ダウンリンクシンボルに構成される。実施形態の一態様によると、アップリンク制御メッセージは、ＮＲ  ＴＤＤスロットの少なくとも２つの他のシンボルに渡り構成される。
【００８１】
実施形態の一態様によると、アップリンク制御メッセージは、ダウンリンクハイブリッド自動再送要求（ＨＡＲＱ）、及び、スケジューリング要求を含む。ダウンリンクＨＡＲＱは、ＮＲ  ＴＤＤスロットのスケジューリング要求とは異なるシンボル上に構成される。実施形態の一態様によると、スケジューリング要求は、ＮＲ  ＴＤＤスロットの最後のアップリンクシンボルに構成される。実施形態の一態様によると、ダウンリンクＨＡＲＱは、ＮＲ  ＴＤＤスロットの最後から２番目のアップリンクシンボルに構成される。この実施形態の一態様によると、ダウンリンク制御メッセージのうちの少なくとも１つは、ダウンリンクデータの場所及びアップリンク割り当ての場所のうちの１つを示す。
【００８２】
本開示の別の実施形態によると、ネットワークノード１２が提供される。ノードは、ＮＲ  ＴＤＤスロットの少なくとも２つのシンボルに渡るダウンリンク制御メッセージの配置を構成する様に構成された構成モジュールを含む。
【００８３】
本開示の別の実施形態によると、無線デバイス１４が提供される。無線デバイス１４は、制御メッセージを受信し、情報を送信する様に構成された処理回路３２を含む。制御メッセージは、ニューレディオ時分割複信（ＮＲ−ＴＤＤ）スロットの少なくとも２つのシンボルに配置される。
【００８４】
この実施形態の一態様によると、制御メッセージは、ＮＲ  ＴＤＤスロットの少なくとも２つのシンボルに渡るダウンリンク制御メッセージを含む。実施形態の一態様によると、ダウンリンク制御メッセージは、ダウンリンク割り当てとアップリンク割り当てとを含む。ダウンリンク割り当ては、ＮＲ  ＴＤＤスロットのアップリンク割り当てとは異なシンボル上に構成される。実施形態の一態様によると、制御メッセージは、ＮＲ  ＴＤＤスロットの少なくとも２つのシンボルに渡るアップリンク制御メッセージを含む。
【００８５】
実施形態の一態様によると、アップリンク制御メッセージは、ダウンリンクハイブリッド自動再送要求（ＨＡＲＱ）、及び、スケジューリング要求を含む。ダウンリンクＨＡＲＱは、ＮＲ  ＴＤＤスロットのスケジューリング要求とは異なシンボル上に構成される。実施形態の一態様によると、処理回路３２は、制御メッセージの配置構成の指示のブラインド検出を実行する様にさらに構成される。実施形態の一態様によると、送信される情報は受信された制御メッセージに少なくとも部分的に基づいている。この実施形態の一態様によると、ダウンリンク制御メッセージのうちの少なくとも１つは、ダウンリンクデータの場所及びアップリンク割り当ての場所のうちの１つを示す。
【００８６】
本開示の別の実施形態によると、無線デバイス１４が提供される。無線デバイス１４は、制御メッセージを受信し、情報を送信する様に構成された割り当てモジュールを含む。制御メッセージは、ニューレディオ時分割複信（ＮＲ−ＴＤＤ）スロットの少なくとも２つのシンボルに配置される。
【００８７】
幾つかの他の実施形態
本開示の一態様によると、ニューレディオ時分割複信（ＮＲ  ＴＤＤ）を使用するネットワークノード１２が提供される。ネットワークノード１２は、ＮＲ  ＴＤＤスロットの少なくとも２つのシンボルに渡る少なくとも２つの制御メッセージのポジショニングを構成する様に構成された処理回路２０を含む。少なくとも２つのシンボルは、時間領域において異なるシンボルである。いくつかの態様において、少なくとも２つの制御メッセージのポジショニングを構成することは、無線デバイス１４から送信されるアップリンク制御メッセージのポジショニングを構成することであり得る。いくつかの態様において、ネットワークノード１２は、いずれかの例で説明されている様に構成された位置を有するアップリンク制御メッセージを無線デバイス１４から受信する。
【００８８】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルのうちの第１シンボル上に位置する様に構成されたダウンリンクハイブリッド自動再送要求（ＨＡＲＱ）と、ＮＲ  ＴＤＤスロットの少なくとも２つのシンボルのうちの第２シンボル上に位置する様に構成されたスケジューリング要求と、を含む。第１シンボルは、時間領域において、第２シンボルの前に配置される。
【００８９】
この態様の一実施形態によると、少なくとも２つの制御メッセージのうちの第１制御メッセージは、ショート物理アップリンク制御チャネル（ｓＰＵＣＣＨ）にあり、少なくとも２つの制御メッセージのうちの第２制御メッセージは、ＮＲ  ＴＤＤスロット内の別のｓＰＵＣＣＨにある。この態様の一実施形態によると、第２制御メッセージは、アップリンクに使用されるシンボルの最後のシンボルに対応、及び／又は、ＮＲ  ＴＤＤスロットの最後のシンボルに対応する。
【００９０】
この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルのうちの第１シンボル上に配置される様に構成されたダウンリンク割り当てと、ＮＲ  ＴＤＤスロットの少なくとも２つのシンボルのうちの第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００９１】
この態様の一実施形態によると、少なくとも２つの制御メッセージのうちの第１制御メッセージは、ショート物理ダウンリンク制御チャネル（ｓＰＤＣＣＨ）にあり、少なくとも２つの制御メッセージのうちの第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域内の少なくとも２つのシンボルの位置決めは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００９２】
本開示の他の態様によると、ニューレディオ時分割複信（ＮＲ  ＴＤＤ）を使用するネットワークノード１２のための方法が提供される。ＮＲ  ＴＤＤスロットの少なくとも２つのシンボルに渡る少なくとも２つの制御メッセージの位置決めが構成される。少なくとも２つのシンボルは、時間領域において異なるシンボルである。
【００９３】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルのうちの第１シンボル上に位置する様に構成されたダウンリンクハイブリッド自動再送要求（ＨＡＲＱ）と、ＮＲ  ＴＤＤスロットの少なくとも２つのシンボルのうちの第２シンボル上に位置する様に構成されたスケジューリング要求と、を含む。第１シンボルは、時間領域において、第２シンボルの前に配置される。
【００９４】
この態様の一実施形態によると、少なくとも２つの制御メッセージのうちの第１制御メッセージは、ショート物理アップリンク制御チャネル（ｓＰＵＣＣＨ）を提供するシンボルにあり、少なくとも２つの制御メッセージのうちの第２制御メッセージは、ＮＲ  ＴＤＤスロット内の別のｓＰＵＣＣＨにある。この態様の一実施形態によると、第２制御メッセージは、アップリンクに使用されるシンボルの最後のシンボルに対応、及び／又は、ＮＲ  ＴＤＤスロットの最後のシンボルに対応する。
【００９５】
この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルのうちの第１シンボル上に配置される様に構成されたダウンリンク割り当てと、ＮＲ  ＴＤＤスロットの少なくとも２つのシンボルのうちの第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【００９６】
この態様の一実施形態によると、少なくとも２つの制御メッセージのうちの第１制御メッセージは、ショート物理ダウンリンク制御チャネル（ｓＰＤＣＣＨ）にあり、少なくとも２つの制御メッセージのうちの第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域内の少なくとも２つのシンボルの位置決めは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【００９７】
本開示の別の態様によると、ニューレディオ時分割複信（ＮＲ  ＴＤＤ）を使用する無線デバイス１４が提供される。無線デバイス１４は、ＮＲ  ＴＤＤスロットの少なくとも２つのシンボルに渡る少なくとも２つの制御メッセージの構成されたポジショニングにより動作する様に構成された処理回路３２を含む。少なくとも２つのシンボルは、時間領域において異なるシンボルである。
【００９８】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルのうちの第１シンボル上に位置する様に構成されたダウンリンクハイブリッド自動再送要求（ＨＡＲＱ）と、ＮＲ  ＴＤＤスロットの少なくとも２つのシンボルのうちの第２シンボル上に位置する様に構成されたスケジューリング要求と、を含む。第１シンボルは、時間領域において、第２シンボルの前に配置される。この態様の一実施形態によると、少なくとも２つの制御メッセージのうちの第１制御メッセージは、ショート物理アップリンク制御チャネル（ｓＰＵＣＣＨ）にあり、少なくとも２つの制御メッセージのうちの第２制御メッセージは、ＮＲ  ＴＤＤスロット内の別のｓＰＵＣＣＨにある。
【００９９】
この態様の一実施形態によると、第２制御メッセージは、アップリンクに使用されるシンボルの最後のシンボルに対応、及び／又は、ＮＲ  ＴＤＤスロットの最後のシンボルに対応する。この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルのうちの第１シンボル上に配置される様に構成されたダウンリンク割り当てと、ＮＲ  ＴＤＤスロットの少なくとも２つのシンボルのうちの第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【０１００】
この態様の一実施形態によると、少なくとも２つの制御メッセージのうちの第１制御メッセージは、ショート物理ダウンリンク制御チャネル（ｓＰＤＣＣＨ）にあり、少なくとも２つの制御メッセージのうちの第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。この態様の一実施形態によると、時間領域内の少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【０１０１】
本開示の他の実施形態によると、ニューレディオ時分割複信（ＮＲ  ＴＤＤ）を使用する無線デバイス１４のための方法が提供される。無線デバイス１４は、ＮＲ  ＴＤＤスロットの少なくとも２つのシンボルに渡る少なくとも２つの制御メッセージの構成されたポジショニングにより動作する。少なくとも２つのシンボルは、時間領域において異なるシンボルである。いくつかの態様において、少なくとも２つの制御メッセージのポジショニングを構成することは、無線デバイスから送信されるアップリンク制御メッセージのポジショニングを構成することであり得る。いくつかの態様において、無線デバイス１４は、いずれかの例で説明されている様に構成された位置を有するアップリンク制御メッセージを送信する。
【０１０２】
この態様の一実施形態によると、各制御メッセージは、ＮＲ  ＴＤＤスロットの少なくとも２つのシンボルの各シンボルに対応する。この態様の一実施形態によると、少なくとも２つの制御メッセージは、ＮＲ  ＴＤＤスロットの少なくとも２つのシンボルのうちの第１シンボル上に位置する様に構成されたダウンリンクハイブリッド自動再送要求（ＨＡＲＱ）と、ＮＲ  ＴＤＤスロットの少なくとも２つのシンボルのうちの第２シンボル上に位置する様に構成されたスケジューリング要求と、を含む。第１シンボルは、時間領域において、第２シンボルの前に配置される。この態様の一実施形態によると、少なくとも２つの制御メッセージのうちの第１制御メッセージは、ショート物理アップリンク制御チャネル（ｓＰＵＣＣＨ）にあり、少なくとも２つの制御メッセージのうちの第２制御メッセージは、ＮＲ  ＴＤＤスロット内の別のｓＰＵＣＣＨにある。
【０１０３】
この態様の一実施形態によると、第２シンボルは、ＮＲ  ＴＤＤスロット内の最後のシンボルに対応する。この態様の一実施形態によると、少なくとも２つの制御メッセージは、少なくとも２つの物理ダウンリンク制御チャネル（ＰＤＣＣＨ）メッセージ、又は、少なくとも２つの物理アップリンク制御チャネル（ＰＵＣＣＨ）メッセージである。この態様の一実施形態によれば、少なくとも２つの制御メッセージは、ＮＲ  ＴＤＤスロットの少なくとも２つのシンボルのうちの第１シンボル上に配置される様に構成されたダウンリンク割り当てと、ＮＲ  ＴＤＤスロットの少なくとも２つのシンボルのうちの第２シンボル上に配置される様に構成されたアップリンク割り当て、又は、アップリンクハイブリッド自動再送要求（ＨＡＲＱ）と、を含む。第１シンボルは、時間領域において、第２シンボルの前に配置される。
【０１０４】
この態様の一実施形態によると、少なくとも２つの制御メッセージのうちの第１制御メッセージは、ショート物理ダウンリンク制御チャネル（ｓＰＤＣＣＨ）にあり、少なくとも２つの制御メッセージのうちの第２制御メッセージは、ＮＲ  ＴＤＤスロット内の別のｓＰＤＣＣＨにある。この態様の一実施形態によると、第１制御メッセージは、ダウンリンクに使用されるシンボルの最初のシンボルに対応、及び／又は、ＮＲ  ＴＤＤスロットの開始シンボルに対応する。
【０１０５】
この態様の一実施形態によると、時間領域内の少なくとも２つのシンボルのポジショニングは、ＮＲ  ＴＤＤスロット内のダウンリンクシンボル数、ＮＲ  ＴＤＤスロット内のガードシンボル数、及び、ＮＲ  ＴＤＤスロット内のアップリンクシンボル数の少なくとも１つに基づく。この態様の一実施形態によると、少なくとも２つのシンボルは、ＮＲ  ＴＤＤスロット内の連続シンボルである。
【０１０６】
本開示の別の態様によると、ニューレディオ時分割複信（ＮＲ−ＴＤＤ）を使用するネットワークノード１２が提供される。ネットワークノード１２は、ＮＲ  ＴＤＤスロットの少なくとも２つのシンボルに渡る少なくとも２つの制御メッセージのポジショニングを構成する様に構成された構成モジュール４０を含む。少なくとも２つのシンボルは、時間領域において異なるシンボルである。
【０１０７】
本開示の別の態様によると、ニューレディオ時分割複信（ＮＲ−ＴＤＤ）を使用する無線デバイス１４が提供される。無線デバイス１４は、ＮＲ  ＴＤＤスロットの少なくとも２つのシンボルに渡る少なくとも２つの制御メッセージの構成されたポジショニングにより動作する様に構成された動作モジュール４２を含む。少なくとも２つのシンボルは、時間領域において異なるシンボルである。
【０１０８】
当業者には理解される様に、本明細書に記載の概念は、方法、データ処理システム、及び／又は、コンピュータプログラム製品として具現化することができる。したがって、本明細書で説明される概念は、完全にハードウェアの実施形態、完全にソフトウェアの実施形態、又は、本明細書で一般に"回路"又は"モジュール"として参照しているソフトウェア及びハードウェアの態様を組み合わせた実施形態の形を取り得る。さらに、本開示は、コンピュータによって実行され得る、媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶デバイス、光記憶デバイス、又は、磁気記憶デバイスを含む任意の適切な有形のコンピュータ可読記憶媒体を利用することができる。
【０１０９】
いくつかの実施形態は、方法、システム及びコンピュータプログラム製品のフローチャート及び／又はブロック図を参照して本明細書で説明される。フローチャート及び／又はブロック図の各ブロック、ならびにフローチャート及び／又はブロック図内のブロックの組み合わせは、コンピュータプログラム命令によって実施できることが理解されよう。これらのコンピュータプログラム命令は、汎用コンピュータ（それによって専用コンピュータを作成する）、専用コンピュータ、又は、他のプログラム可能なデータ処理装置のプロセッサに提供されて、コンピュータ又は他のプログラム可能なデータ処理装置のプロセッサを介して命令を実行することで、フローチャート及び／又はブロック図に特定された機能／動作を実施するための手段を作成する。
【０１１０】
これらのコンピュータプログラム命令は、また、コンピュータ可読メモリ又は可読媒体に格納され、コンピュータ又は他のプログラム可能なデータ処理装置に特定の方法で機能する様に指示することができ、コンピュータ可読メモリに格納された命令は、フローチャート及び／又はブロック図において特定された機能／動作を実施する命令手段を含む製造品を作り出す。
【０１１１】
また、コンピュータプログラム命令は、コンピュータ又は他のプログラム可能なデータ処理装置にロードされて、コンピュータ又は他のプログラム可能な装置上で実行される一連の動作ステップによって、コンピュータ上で実行される命令が実行され、コンピュータ又は他のプログラム可能な装置が実行する命令は、フローチャート及び／又はブロック図で特定された機能／動作を実施するためのステップを提供する。
【０１１２】
ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが逆の順序で実行されてもよい。図のいくつかは、通信の主方向を示すために通信経路上に矢印を含むが、通信は、描かれた矢印と反対方向に起こり得ることを理解されたい。
【０１１３】
本明細書に記載の概念の動作を実行するためのコンピュータプログラムコードは、Ｊａｖａ（登録商標）又はＣ＋＋等のオブジェクト指向プログラミング言語で書くことができる。しかしながら、本開示の動作を実行するためのコンピュータプログラムコードは、"Ｃ"プログラミング言語等の従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、又は、全体的にリモートコンピュータ上で実行することができる。後者のシナリオでは、リモートコンピュータは、ローカルエリアネットワーク（ＬＡＮ）又はワイドエリアネットワーク（ＷＡＮ）を介してユーザのコンピュータに接続することができ、又は、（例えば、インターネットサービスプロバイダの使用によるインターネットを介して）接続することができる。
【０１１４】
上記の説明及び図面に関連して、多くの異なる実施形態が本明細書に開示されている。これらの実施形態のあらゆる組み合わせ及び部分的な組み合わせを文字通りに説明及び例示することは、過度に反復的で分かり難くなることが理解されよう。したがって、すべての実施形態は任意の方法及び／又は組み合わせで組み合わせることができ、図面を含む本明細書は、本明細書に記載の実施形態のすべての組み合わせ及びサブコンビネーションならびに方法及びプロセスの完全な書面による説明を構成すると解釈され、そしてそれらを作成し使用することの可能性があり、そのような組み合わせ又はサブコンビネーションに対する主張を裏付けるものとする。
【０１１５】
本明細書に記載の実施形態は、本明細書の上記に特に示され記載されたものに限定されないことが当業者によって理解されるであろう。さらに、そうでないことが上記で言及されていない限り、添付の図面のすべてが一定の縮尺ではないことに留意されたい。添付の特許請求の範囲から逸脱することなく、上記の教示に照らして様々な修正形態及び変形形態が可能である。
【図１】
0006811869.tif 000003
【図２】
0006811869.tif 000004
【図３】
0006811869.tif 000005
【図４】
0006811869.tif 000006
【図５】
0006811869.tif 000007
【図６】
0006811869.tif 000008
【図７】
0006811869.tif 000009
【図８】
0006811869.tif 000010
【図９】
0006811869.tif 000011
【図１０】
0006811869.tif 000012
【図１１】
0006811869.tif 000013
【図１２】
0006811869.tif 000014
【図１３】
0006811869.tif 000015